(57)【要約】【課題】  ドラム式洗濯機を輸送など移動させる際に回転ドラムを水槽内に収容した水槽ユニットを洗濯機筐体に固定する拘束構造を備えたドラム式洗濯機を提供する。【解決手段】  回転ドラム２を水槽３内に収容した水槽ユニット５をその重心位置より正面寄りの位置で下方から防振ダンパー７０により支持し、水槽ユニット５の上部に固定した上部支持金具７５を正面側に第１のコイルバネ７１により弾性付勢して洗濯機筐体６内に配設し、上部支持金具７５に設けた水槽固定部９７に対向させて洗濯機筐体６の背面に固定金具８３を着脱可能に取り付ける。ドラム式洗濯機１を移動させる際には、固定金具８３から水槽固定部９７に固定ボルト８６を螺入すると水槽ユニット５は洗濯機筐体６に固定される。【選択図】  図１
2005137644.tif 000002
【特許請求の範囲】
【請求項１】
略有底円筒形に形成された水槽内に配設された有底円筒形の回転ドラムの底面中心に固定された回転軸を水槽の底面に固定された軸受によって軸支すると共に回転軸にドラム駆動モータを連結してなる水槽ユニットを洗濯機筐体内に配置し、前記洗濯機筐体の基底部に下端が固定された防振ダンパーにより前記水槽ユニットをその重心位置より正面側寄りの位置で支持すると共に、水槽ユニットの背面側上部外面に固定された上部支持金具を洗濯機筐体の少なくとも正面側に弾性的に付勢する付勢手段が設けられ、洗濯機筐体の背面に着脱可能に固定された固定金具と前記上部支持金具との間がネジ固定できるように構成されてなることを特徴とするドラム式洗濯機。
【請求項２】
水槽ユニットは、洗濯機筐体内にその正面側から背面側に向けて回転軸が下向き傾斜となるように配置されてなる請求項１に記載のドラム式洗濯機。
【発明の詳細な説明】
【技術分野】
【０００１】
本発明は、回転ドラムを収容した水槽を筐体内にサスペンション構造によって支持することにより回転ドラムの回転に伴う振動を抑制する制振構造を備えたドラム式洗濯機に関するものである。
【背景技術】
【０００２】
ドラム式洗濯機は回転ドラムをその回転軸方向を水平方向あるいは水平方向から前上がりの傾斜方向にして収容した水槽が筐体内に配設されているため、洗濯物や給水された水が下方に偏りがちとなり、回転ドラムの回転に伴う振動が発生しやすくなる。特に、回転ドラムを高速で回転させる脱水時に洗濯物が一方に偏った状態になっていると大きな振動が発生する。このような振動が洗濯機筐体に伝わることを防止するために、回転ドラムを収容した水槽は防振ダンパーにより洗濯機筐体内に重量支持され、スプリング部材により吊り下げ支持される。
【０００３】
このように回転ドラムを収容した水槽が洗濯機筐体内に浮動支持された状態にあると、工場からの出荷時や家庭への納入時等の移動において振動や衝撃を受けると、水槽は洗濯機筐体内で非常に不安定な状態になる。また、水槽内に収容された回転ドラムは金属製で重量も大きく回転軸が一方端に取り付けられた片支持構造であるため、振動や衝撃により回転軸やドラムに変形が生じる恐れがある。
【０００４】
そこで、ドラム式洗濯機を設置場所に設置するまでの移動時には水槽を洗濯機筐体に固定して、振動や衝撃により水槽が洗濯機筐体内で位置移動しないようにしたドラム式洗濯機が知られている。（特許文献１参照）。
【特許文献１】特開平１０−２６３２７６号公報（第３〜４頁、図１）
【発明の開示】
【発明が解決しようとする課題】
【０００５】
上記従来技術に係る水槽の固定構造は、回転ドラムをその回転軸が水平方向になるようにして水槽内に収容したドラム式洗濯機に適用できる構造であり、水槽の背面は洗濯機筐体の背面と平行になるので、必要に応じて洗濯機筐体の背面に形成された複数の穴にそれぞれ固定部材を装着して洗濯機筐体の背面と水槽との間をネジ固定することができる。しかし、回転ドラムに対する洗濯物の出し入れを容易にするために回転ドラムを傾斜配置すると、それを収容する水槽も洗濯機筐体内に傾斜した状態に配置されるため、このような水槽の固定構造は適用できない課題があった。
【０００６】
本発明が目的とするところは、傾斜配置された回転ドラムを水槽内に収容した構造であっても、洗濯機筐体の背面に着脱可能に保持されているネジ部材により必要に応じて水槽を洗濯機筐体に固定できる移動対策構造を備えたドラム式洗濯機を提供することにある。
【課題を解決するための手段】
【０００７】
上記目的を達成するために本発明に係るドラム式洗濯機は、略有底円筒形に形成された水槽内に配設された有底円筒形の回転ドラムの底面中心に固定された回転軸を水槽の底面に固定された軸受によって軸支すると共に回転軸にドラム駆動モータを連結してなる水槽ユニットを洗濯機筐体内に配置し、前記洗濯機筐体の基底部に下端が固定された防振ダンパーにより前記水槽ユニットをその重心位置より正面側寄りの位置で支持すると共に、水槽ユニットの背面側上部外面に固定された上部支持金具を洗濯機筐体の少なくとも正面側に弾性的に付勢する付勢手段が設けられ、洗濯機筐体の背面に着脱可能に固定された固定金具と前記上部支持金具との間がネジ固定できるように構成されてなることを特徴とする。
【０００８】
本発明に係るドラム式洗濯機は、水槽ユニットをその重心位置から正面側寄りの位置で防振ダンパーによって重量支持した場合に、水槽ユニットが背面側に倒れる状態になるのを補正するために水槽の背面側上部に固定された上部支持金具を付勢手段により少なくとも正面側に付勢して水槽ユニットを所定位置に保持しているので、ドラム式洗濯機を移動させる必要が生じたとき、前記上部支持金具の一部に対向させて洗濯機筐体の背面に固定金具を装着し、固定金具と上部支持金具との間をネジ固定すると、水槽ユニットは洗濯機筐体に固定されて浮動支持状態が拘束されるので、ドラム式洗濯機を移動させる際に大きな振動や衝撃を受けた際に水槽ユニットや回転ドラムに損傷が生じることが防止できる。
【０００９】
また、上部支持金具で振動や衝撃を受けるため、水槽ユニットに部分的な応力がかかるのを防止できるので、水槽ユニットの強度を向上させることができる。
【００１０】
上記構成において、水槽ユニットは、洗濯機筐体内にその正面側から背面側に向けて回転軸が下向き傾斜となるように配置することにより洗濯物の出し入れを容易にしたドラム式洗濯機に構成することができ、水槽ユニットの支持構造として上記構成が好適であり、上部支持金具は洗濯機筐体の背面寄りに配設されるので、背面に設けた固定金具と上部支持金具との間のネジ固定が容易にできる。
【発明の効果】
【００１１】
本発明によれば、水槽ユニットの洗濯機筐体内への支持角度に関係なく水槽ユニットを洗濯機筐体の背面に固定することができ、ドラム式洗濯機を移動させる必要が生じた際に水槽ユニットを固定して、移動に伴う振動や衝撃によって水槽に損傷が発生することが防止できる。
【発明を実施するための最良の形態】
【００１２】
図１は、実施形態に係るドラム式洗濯機１において、ドラム式洗濯機１を移動させる際の水槽ユニット５の支持構造を示すものである。前記水槽ユニット５は、樹脂製の水槽３内に回転ドラム２を収容し、回転ドラム２の回転軸２ａを水槽３の背面に設けられた軸受６８で軸支すると共に回転軸２ａにドラム駆動モータ７を連結して構成されている。この水槽ユニット５は洗濯機筐体６内に前上がりの状態に傾斜させて配設され、水槽３の下部に固定された下部支持金具７４と洗濯機筐体６の基底部に固定された支持台７３との間に左右一対の防振ダンパー７０を配することによって、水槽ユニット５の重量が支持されている。水槽ユニット５は、その背面側に軸受６８やドラム駆動モータ７などの重量の大きな構成要素が取り付けられているため、重心位置は背面寄りにあり、防振ダンパー７０は水槽ユニット５をその重心位置より正面側寄りの下方で支持しているので、水槽ユニット５のバランスは背面側に倒れる状態にあり、これを補正するために、水槽３の上部に複数本のネジ９８で広範囲にわたって固定された金属製の上部支持金具（水槽補強金具）７５と洗濯機筐体６の上面との間に第１のコイルバネ（第１の付勢手段）７１が架設され、水槽ユニット５を正面側及び上方側に向けて付勢している。この第１のコイルバネ７１に加えて水槽ユニット５の防振ダンパー７０による支持高さ位置より下方の背面と、洗濯機筐体６の背面との間に第２のコイルバネ（第２の付勢手段）７２を架設すると、水槽ユニット５が背面側に倒れる状態はより確実に補正される。
【００１３】
前記防振ダンパー７０は、図３に示すように、シリンダ内にオイルを封入したオイルダンパー機構７８と、このオイルダンパー７８と同軸に設けられたコイルバネ機構７９とを備えて構成され、オイルダンパー機構７８の下端に固定され、外周部にコイルバネ機構７９が配置された支持軸８４は、洗濯機筐体６の基底部に固定された支持台７３に緩衝材７７を介して固定される。また、オイルダンパー機構７８を構成するピストンロッド８４は、水槽３の下部に固定された下部支持金具７４に緩衝材７７を介して固定される。
【００１４】
回転ドラム２は、その回転軸方向が図示するように開口する正面側から底面となる背面側に向けて下向き傾斜となるように傾斜配置されているため、洗濯機筐体６の正面側に形成された傾斜面６ａに開閉自在に設けられた扉体９を開くと、回転ドラム２に対する洗濯物の出し入れする作業に際して腰を屈める具合が少なくてすみ、ドラム式洗濯機１の正面側に余裕のある空間を確保する必要もないので、洗面所などの狭い空間にも設置可能なドラム式洗濯機１に構成することができる。
【００１５】
上記構成により、水槽ユニット５はその重量が防振ダンパーによって支持され、重心より正面寄りの位置で支持されることにより背面側に倒れる状態は第１のコイルバネ７１により弾性的に阻止され、更に第２のコイルバネ７２で補助することにより、水槽ユニット５は所定位置に保持される。また、防振ダンパー７０及び第１、第２の各コイルバネ７１，７２により弾性支持されているため、回転ドラム２の回転に伴う振動が洗濯機筐体６に伝わることが抑制される。
【００１６】
上記構成になるドラム式洗濯機１は、洗濯機筐体６の正面側に設けられた扉体９を開いて回転ドラム２内に洗濯物を投入して運転を開始させることにより、吸水部１２から水槽３内に洗濯物の量に対応する水位まで給水がなされ、ドラム駆動モータ７により回転ドラム２が回転駆動されて洗濯工程、すすぎ工程、脱水工程が順次実行される。
【００１７】
上記構成になるドラム式洗濯機１は、前述したように洗濯機筐体６内に水槽ユニット５を浮動支持しているため、生産現場から倉庫や販売店に輸送したり、販売店から家庭などの設置場所に輸送したり、更には引越しなどによって設置場所を移動する際に、大きな振動や衝撃が加わった場合や、転倒させたり間違った角度に積載された場合に、水槽ユニット５に損傷が生じる恐れがある。特に、回転ドラム２は金属製で重量も大きく、その回転軸２ａが有底円筒形の底面に取り付けられた片支持状態にあるため、大きな衝撃により回転軸２ａに変形が生じる恐れがある。そこで、ドラム式洗濯機１を移動させる際には水槽ユニット５の浮動状態を拘束し、水槽ユニット５が洗濯機筐体６内で位置移動しないように拘束する拘束構造を設ける必要がある。拘束構造は水槽ユニット５の拘束及び拘束の解除を行う作業が容易に行い得るようにすることが要求される。
【００１８】
本実施形態に係る水槽ユニット５の拘束構造は、図１、図２に示すように、樹脂製の水槽３の上部に複数本のボス３ａを広範囲にわたって設け、その複数本のボス３ａに複数本のネジ９８を締め付けることにより固定された金属製の上部支持金具７５にその一部を切り起こした水槽固定部９７を形成し、この水槽固定部９７の洗濯機筐体６の背面と平行に形成した連結部９７ａにネジ穴９７ｂを設けると共に、洗濯機筐体６の背面に短冊状板材をロの字状に折り曲げ形成した固定金具８３を着脱自在に取り付けられ、洗濯機筐体６の背面側から固定金具８３に固定ボルト８６を貫通させて構成されている。
【００１９】
ドラム式洗濯機１の移動に際して水槽ユニット５を拘束するときには、固定ボルト８６を回転させながら進出させると、その先端が連結部９７ａに設けられたネジ穴９７ｂに螺入して連結部９７ａが固定金具８３に密着し、水槽ユニット５は洗濯機筐体６の背面に固定され、水槽ユニット５の浮動状態は拘束される。水槽ユニット５の拘束状態を解除するときには、固定ボルト８６がネジ穴９７ｂから抜け出る方向に回転させると、固定ボルト８６がネジ穴９７ｂから抜け出したとき水槽固定部９７が固定金具８３から離れて水槽ユニット５の拘束は解除され、その後、固定金具８３を洗濯機筐体の背面から取り外す。
【００２０】
金属製の上部支持金具７５は、樹脂製の水槽３の上部に複数本のネジ９８で広範囲にわたって固定されているので、ドラム式洗濯機１を移動させる際に、固定金具８３を介して、上部支持金具７５に力がかかったとしても、上部支持金具７５は金属製であるため破損することはなく、また、水槽３にかかる応力集中を小さくすることができ、樹脂製の水槽３も破損することがないため、ドラム式洗濯機１の移動時の強度を確保することができる。
【００２１】
また、図２に仮想線で示すように、洗濯機筐体６の背面外側に固定金具８３を取り外した後の孔部を被覆するカバー８７を開閉可能に設けることにより、孔部から指が挿入されたりすることを防止できる。また、図２に示す拘束構造は、左右２箇所以上に形成することにより、水槽ユニット５の拘束はより確実になされる。
【００２２】
以上説明した実施形態は、回転ドラム２を水平方向から傾斜させて配置した構成について説明したが、回転ドラム２を水平方向に配置した構成においても同様に構成することができる。
【産業上の利用可能性】
【００２３】
以上の説明の通り本発明によれば、回転ドラムを水槽内に収容した水槽ユニットを洗濯機筐体内に浮動支持したドラム式洗濯機を輸送など移動させる際に、水槽に損傷が発生するのを防止することができる。
【図面の簡単な説明】
【００２４】
【図１】実施形態に係るドラム式洗濯機における支持構造及び拘束構造を示す断面図。
【図２】同上拘束構造の詳細を示す拡大断面図。
【図３】同上支持構造に適用した防振ダンパーの構成を示す正面図。
【符号の説明】
【００２５】
１  ドラム式洗濯機
２  回転ドラム
３  水槽
５  水槽ユニット
６  洗濯機筐体
７  ドラム駆動モータ
７０  防振ダンパー
７１  第１のコイルバネ（第１の付勢手段）
７２  第２のコイルバネ（第２の付勢手段）
７３  支持台
７４  下部支持金具
７５  上部支持金具
８３  固定金具
８６  固定ボルト
９７  水槽固定部
９８  ネジ
【図１】
2005137644.tif 000003
【図２】
2005137644.tif 000004
【図３】
2005137644.tif 000005